(57)【特許請求の範囲】
【請求項１】
天板を支持する構造体の一部を台座とし、この台座に設定した取付領域に所定方向から机上オプションの基端を取り付け可能とするとともに、前記台座を、机上オプションの有無に応じて形態を変化させ得るカバー体によって覆うようにしたものであって、
前記カバー体は、少なくとも机上オプションの取付領域を避けた位置で台座に止着具を介して固定されるベース部と、台座から離間した位置で前記ベース部に着脱可能に取り付けられて前記止着具を遮蔽するキャップ部とを具備し、前記取付領域を途中狭めることなく前記所定方向に開放した状態をとり得るように構成していることを特徴とするデスク。
【請求項２】
ベース部は取付領域を所定方向に開放し、キャップ部が取り付けられることによって取付領域の全部又は一部が閉止され得るように構成している請求項１記載のデスク。
【請求項３】
机上オプションは、支柱の基端に拡開した取付部を有するものであり、ベース部にその取付部の通過を許容する凹部を所定方向に沿って形成するとともに、キャップ部に取付部よりも小さく支柱よりも大きい開口窓を開閉可能に設けている請求項２記載のデスク。
【請求項４】
キャップ部は、形態の異なる複数の開口窓を形成し得るように構成されている請求項３記載のデスク。
【請求項５】
構造体上、天板幅方向へ離間した位置に存する台座に一対のカバー体を固定し、これらカバー体の間にダクトカバーを取り付けるようにしたものであって、ダクトカバーは両端に突起を有し、カバー体にはこの突起を支持する凹所が設けられて、凹所はベース部に対するキャップ部の着脱を通じて開閉可能とされている請求項２〜４のいずれかに記載のデスク。
【請求項６】
突起が軸であり、凹所が軸受を構成するものである請求項５記載のデスク。
【請求項７】
天板を支持する構造体の一部を台座とし、この台座に設定した取付領域に所定方向から机上オプションの基端を取り付け可能とするとともに、前記台座を、机上オプションの有無に応じて形態を変化させ得るカバー体によって覆うようにしたものであって、
構造体が端部脚の間に中間脚を有し、端部脚と中間脚の間、あるいは中間脚同士の間をビームを介して連結したものであり、台座がビームの両端近傍の上向面に設けられ、中間脚を挟んで隣接する台座は、前記取付領域として、各々別個の机上オプションの基端を取り付けるための第１の取付領域、及び、隣接する台座とともに共通の机上オプションの基端を取り付けるための第２の取付領域を設定されたものであり、各々の台座を覆うカバー体は、少なくとも第１の取付領域および第２の取付領域を避けた位置で各々の台座に固定され、個別に第１の取付領域を途中狭めることなく上方に開放した状態と、協働して第２の取付領域を途中狭めることなく上方に開放した状態とをとり得るように構成されていることを特徴とするデスク。
【請求項８】
一対のカバー体は、台座に止着具を介して固定されるベース部と、このベース部に着脱可能に取り付けられて前記止着具を遮蔽するキャップ部とをそれぞれ具備し、各ベース部は、第１の取付領域を上方に開放し、キャップ部が取り付けられることによって第１の取付領域の全部又は一部が閉止され得るように構成されるとともに、両ベース部は、協働して第２の取付領域を上方に開放し、各々キャップ部が取り付けられることによって第２の取付領域の全部又は一部が閉止され得るように構成されている請求項７記載のデスク。
【発明の詳細な説明】
【技術分野】
【０００１】
本発明は、デスクトップパネル等の机上オプションを天板に対して着脱するにあたり、その取付部分を、作業性を損なうことなくカバー体によって化粧できるようにしたデスクに関するものである。
【背景技術】
【０００２】
従来より、デスクトップパネル等の机上オプションを天板に付帯させて取り付ける場合には、天板を支持する構造体の一部に机上オプションの基端を設置し、支柱を挿し通す開口部を有したカバーをその上から基端を覆うように装着して、そのカバーを構造体にボルトで止着するようにしているのが通例である。このような構造自体は周知のものであるが、これを開示した特許文献は特に見当たらない。
【発明の開示】
【発明が解決しようとする課題】
【０００３】
しかしながら、かかるカバーの取付構造であると、デスクトップパネル等の机上オプションを着脱する際に必ずボルトの締着を解除してカバーを外さなければならない。このため、作業性が極めて悪いという問題がある。逆に、カバーを簡単に装着できる構造にすると、使用中に簡単に外れるおそれがあるため、カバー本来の機能が損なわれ易くなる。更に、天板を増連する場合等には、デスクトップパネル等の机上オプションは天板の境界部分に支柱が位置することになり、従来では全く別異のカバーを用いなければならない不具合もある。
【０００４】
本発明は、このような課題を解決し、デスクトップパネル等の机上オプションの着脱に際してカバーの取り扱いを容易ならしめたデスクを提供することを目的としている。
【課題を解決するための手段】
【０００５】
本発明は、かかる目的を達成するために、次のような手段を講じたものである。
【０００６】
すなわち、本発明のデスクは、天板を支持する構造体の一部を台座とし、この台座に設定した取付領域に所定方向から机上オプションの基端を取り付け可能とするとともに、前記台座を、机上オプションの有無に応じて形態を変化させ得るカバー体によって覆うようにしたものであって、前記カバー体は、少なくとも机上オプションの取付領域を避けた位置で台座に止着具を介して固定されるベース部と、台座から離間した位置で前記ベース部に着脱可能に取り付けられて前記止着具を遮蔽するキャップ部とを具備し、前記取付領域を途中狭めることなく前記所定方向に開放した状態をとり得るように構成していることを特徴とする。
【０００７】
このように構成すれば、カバー体の少なくとも一部を台座に固定状態で残したままで、カバー体と干渉させることなく机上オプションの基端を所定方向に通過させて台座に対して着脱することができるので、机上オプションの着脱の度にカバー体全体をボルトで止めたり外したりする場合に比して、作業性を有効に向上させることができる。
【０００８】
カバー体の適切な固定状態と、机上オプションを着脱する際の作業性とを好適に両立させるためには、ベース部は取付領域を所定方向に開放し、キャップ部が取り付けられることによって取付領域の全部又は一部が閉止され得るように構成しているものが有効となる。
【０００９】
机上オプションが、支柱の基端に拡開した取付部を有するものである場合には、ベース部にその取付部の通過を許容する凹部を所定方向に沿って形成するとともに、キャップ部に取付部よりも小さく支柱よりも大きい開口窓を開閉可能に設けていることが好適である。
【００１０】
種々の机上オプションに対して共通のカバー体を有効に適用可能とするためには、キャップ部は、形態の異なる複数の開口窓を形成し得るように構成されていることが好ましい。
【００１１】
構造体上、天板幅方向へ離間した位置に存する台座に一対のカバー体を固定し、これらカバー体の間にダクトカバーを取り付ける場合には、ダクトカバーが両端に突起を有し、カバー体にこの突起を支持する凹所を設けて、凹所をベース部に対するキャップ部の着脱を通じて開閉可能としておくことが望ましい。
【００１２】
特にダクトカバーの着脱容易性とともに良好な使い勝手も同時に実現するためには、突起が軸であり、凹所が軸受を構成するものであることが好ましい。
【００１３】
天板を支持する構造体の一部を台座とし、この台座に設定した取付領域に所定方向から机上オプションの基端を取り付け可能とするとともに、前記台座を、机上オプションの有無に応じて形態を変化させ得るカバー体によって覆うようにしたものであって、構造体が端部脚の間に中間脚を有し、端部脚と中間脚の間、あるいは中間脚同士の間をビームを介して連結したものであり、台座がビームの両端近傍の上向面に設けられ、中間脚を挟んで隣接する台座は、前記取付領域として、各々別個の机上オプションの基端を取り付けるための第１の取付領域、及び、隣接する台座とともに共通の机上オプションの基端を取り付けるための第２の取付領域を設定されたものであり、各々の台座を覆うカバー体は、少なくとも第１の取付領域および第２の取付領域を避けた位置で各々の台座に固定され、個別に第１の取付領域を途中狭めることなく上方に開放した状態と、協働して第２の取付領域を途中狭めることなく上方に開放した状態とをとり得るように構成されていることが好都合である。
【００１４】
この場合、一対のカバー体は、台座に止着具を介して固定されるベース部と、このベース部に着脱可能に取り付けられて前記止着具を遮蔽するキャップ部とをそれぞれ具備し、各ベース部は、第１の取付領域を上方に開放し、キャップ部が取り付けられることによって第１の取付領域の全部又は一部が閉止され得るように構成されるとともに、両ベース部は、協働して第２の取付領域を上方に開放し、各々キャップ部が取り付けられることによって第２の取付領域の全部又は一部が閉止され得るように構成されていればよい。
【発明の効果】
【００１５】
本発明は、以上説明した構成であるから、デスクトップパネル等の机上オプションを天板に対して着脱するにあたり、その取付部分を覆うカバー体を都度、ボルトを締めたり緩めたりして作業を行うことを不要にし、しかも机上オプションに対する適切な化粧機能を担保して、デスクの設置や移動、レイアウト変更等に有効に対応できるようにした、新規有用なデスクを提供することが可能となる。
【発明を実施するための最良の形態】
【００１６】
以下、本発明の一実施形態を、図面を参照して説明する。
【００１７】
この実施形態は、図１に示すように、一対の端部脚１，１の間に中間脚２を設け、隣り合う端部脚１と中間脚２との間をビーム３で連結してフレーム構造体Ａを構成するとともに、このフレーム構造体Ａの端部脚１と中間脚２とにまたがって天板４を、奥行き方向に対面使用可能なように各一対に載せ置き、全体として大型のデスクを構成している。
【００１８】
端部脚１は図２に示すように全体がパネル状をなすものであり、中間脚２は図３に示すように支持体２１の上端にステー部２２を設けた概略Ｔ字状のものであって、ビーム３はこれら端部脚１及び中間脚２の奥行き方向中央部における上端部間を連結する位置に取り付けられる。ビーム３の内部は上方に開放されたコードダクト空間Ｓを形成している。
【００１９】
そして、ビーム３によって自立させられた端部脚１及び中間脚２の天板受け１３、２３にそれぞれ天板４の対応する側縁近傍の下面を載せ置き、天板受け１３、２３に下方から挿通した図示しないねじを天板４の下面に止着することによって、天板４を端部脚１と中間脚２とに固定するようにしている。天板取付状態において、奥行き方向に対面する天板４の反使用縁４ａ，４ａ間にはビーム３のコードダクト空間Ｓが上方に開放した状態となる。
【００２０】
このような構成において、本実施形態は、天板４を支持する前記フレーム構造体Ａの一部であるビーム３の両端部近傍に、図２及び図３に示すように座板５１を取り付けて台座５とし、これらの台座５に同図中網掛けで示すようなＴ字状をなす第１の取付領域Ｂ１を設定して、その第１の取付領域Ｂ１に図４〜図６に例示するように上方から机上オプションであるデスクトップパネル６に付帯する支柱６１の基端を取り付け可能とするとともに、前記台座５を、デスクトップパネル６の有無に応じて形態を変化させ得るカバー体Ｃによって覆うようにしている。
【００２１】
デスクトップパネル６は、パネル本体６０の両端部近傍が前記支柱６１に支持され、支柱６１の下端に取付部であるＴ字状のブラケット６２が一部重合させて取り付けられたもので、支柱６１から拡開して天板の奥行き方向に延出するブラケット先端部にはボルト通過孔６３が設けてある。図示例のデスクトップパネル６は、１枚の天板巾に対応する巾寸法を有している。
【００２２】
一方、台座５を構成する座板５１には、図２及び図４等に示すように、天板幅方向の内側よりに位置づけて前記ブラケット６２のボルト通過孔６３に対応する第１のねじ孔５ａが設けられ、天板幅方向の外側よりに位置づけてカバー体Ｃを取り付けるための対をなす第２のねじ孔５ｂが設けられている。図中符号５ｄで示すものは台座取付用の孔である。
【００２３】
他方、カバー体Ｃは、図４及び図５等に示すように、台座５に止着具であるボルトｖ１を介して固定されるベース部７と、このベース部７に着脱可能に取り付けられるキャップ部８とを具備している。
【００２４】
ベース部７は、前記ブラケット６２が取り付けられる第１の取付領域Ｂ１を避けて台座５上に載せ置かれる一対の底壁７１と、同じく第１の取付領域Ｂ１を避けて底壁７１から立ち上がる立壁７２とからなる。底壁７１は、座板５１に設けた第２のねじ孔５ｂを覆う位置に対をなして配置されたもので、この底壁７１には前記第２のねじ孔５ｂに連続する位置にボルト通過孔７１ｂが設けられているとともに、これらの底壁７１ｂ同士を立壁７２によって接続した構造をなしている。立壁７２は、平面視した場合にブラケットの外縁をほぼ包囲するような内壁７２ａを形成し、外側は天板４の反使用縁４ａに平行な第１の外壁７２ｂと、天板４の外側端部に略合致する第２の外壁７２ｃと、コードダクト空間Ｓ側に位置する第３の外壁７２ｄとを少なくとも形成している。内壁７２ａの内側に形成される凹部Ｐはほぼ等断面のまま上方に開放されているとともに、その凹部Ｐは第２の外壁７２ｃの一部に設けた開口７２ｃ１を介して外方に開放されている。第３の外壁７２ｄの上方近傍には後述するダクトカバー９の端部付近を載せ置くための上向き面７２ｅが設定され、この上向き面７２ｅの隣接位置には天板幅方向に延びて内側に開口する凹所７２ｆが形成されている。このベース部７の一部にはキャップ部８を着脱可能に係り合わせるための被係合部７ａ、７ｂが設定されている。
【００２５】
キャップ部８は、キャップ本体８１と、このキャップ本体８１に着脱される補助キャップ８２，８３，８４とから構成され、補助キャップ８２，８３，８４を全てキャップ本体８１に装着した状態で、平面視において前記ベース部７の上方をほぼ蓋封するような形状をなしている。そして、前記ベース部７の被係合部７ａ、７ｂに係り合う係合部８ａ、８ｂを有するとともに、その内側下面に、前記ベース部７の凹所７２ｆに対応して天板幅方向に延び内側に開口する凹所８２ｆが形成してある。これらの凹所７２ｆ、８２ｆは突き合うことによって軸穴を形成する。キャップ本体８１は平面視コ字形をなして中央から外側に抜ける第１の開口窓８１ｘが設けてあり、補助キャップ８２はこの第１の開口窓８１ｘを開閉する位置に着脱可能に取り付けられる。補助キャップ８２には更に、内側に開口する第２の開口窓８２ｙと、外側に開口する第３の開口窓８２ｚとが設けてあり、これら第２、第３の開口窓８２ｙ、８２ｚを閉止する位置に、一層小さい補助キャップ８３、８４が着脱可能に取り付けられている。各開口窓８１ｘ、８２ｙ、８２ｚは開成時にそれぞれ断面形状の異なる支柱を挿通させるべく、各々対応する支柱よりも大きく取付領域Ｂ１よりも小さい寸法に設定されている。
【００２６】
このようなカバー体Ｃを併用して台座５にデスクトップ６を取り付けるには、先ず図４に示すようにカバー体Ｃのベース部７に設けたボルト通過孔７１ｂに上方からボルトｖ１を挿入して台座５に設けた第２のねじ孔５ｂに締着し、ベース部７を台座５上に固定する。この状態で台座５の第１の取付領域Ｂ１はベース部７の上方から見える状態に開放されているので、図４→図５に示すようにベース部７を外さずに上方から支柱６１とともにＴ字状をなすブラケット６２を挿入して台座５上に載せ置くことができる。そして、ブラケット６２のボルト通過孔６３にボルトＶ２を挿入して台座５に設けた第１のねじ孔５ａに締着する。このようにした後、上記ダクト空間Ｓを閉止する形状に設けたダクトカバー９を、その側端に突設した突起である軸部９１をベース部７の凹所７２ｆに上方から係合させて端部周辺を上向き面７２ｅ上に載せ置き、内側からキャップ本体８１を、外側から補助キャップ８３を取り除いた残りの補助キャップ８２，８４を、それぞれ両側から支柱６１を挟むようにして嵌め合わせつつ、キャップ本体８１をベース部７に取り付ける。そして、図６に矢印で示すように上方からパネル本体６０を落としこんで図示しない取付孔を支柱６１に挿入することによって、支柱６１の基端を目隠しした状態でベース部７をキャップ部８によって蓋封し、第２の開口窓８２ｙに密接に支柱６１を貫通させると同時にダクトカバー９を取り付けた状態を実現することができる。
【００２７】
また、このデスクは、図１０に示すように、天板巾方向に複数の天板４，４にまたがって１枚のデスクトップパネル１０６が取り付けられる場合がある。この場合は、図７に網掛けで示すように中間脚２を跨いで隣接する両台座５，５に設定した矩形状の第２の取付領域Ｂ２が利用される。前記カバー体Ｃを構成するベース部７は、図８に示すように底壁７１及び立壁である内壁７２ａ及び外壁７２ｂ、７２ｃ、７２ｄがこの第２の取付領域Ｂ２をも避けた状態で取り付けてあり、第２の取付領域Ｂ２は上方から見える状態に開放されていて、パネル本体１６０の中間部を支持する、前記支柱６１とは異なる断面の支柱１６１が中間脚２の真上に位置した状態で取り付けられる。そのために、支柱１６１の下端には前記とは異なる形状の取付部である短冊状のブラケット１６２が一部重合させて取り付けられており、支柱１６１から天板巾方向に拡開して延出するブラケット先端部にボルト通過孔１６３が設けてある。
【００２８】
一方、図７等に示す台座５の中央には、前記ボルト通過孔１６３に対応させて、第１のねじ孔５ａと第２のねじ孔５ｂの中間位置に第３のねじ孔５ｃが設けてある。
【００２９】
このようなデスクトップパネル１０６を、前述したカバー体Ｃをそのまま利用して台座５に取り付けるには、先ず図８に示すようにカバー体Ｃのベース部７に設けたボルト通過孔７１ｂに上方からボルトｖ１を挿入して台座５に設けた第２のねじ孔５ｂに締着し、ベース部７を台座５上に固定する。既にカバー体Ｃが台座５に取り付けられている場合にはこの作業は不要である。この状態で台座５の第２の取付領域Ｂ２はベース部７の上方から見える状態に開放されているので、図８→図９に示すようにベース部７を外さずに上方から支柱１６１とともに短冊状をなすブラケット１６２を挿入して台座５上に載せ置くことができる。そして、ブラケット１６２のボルト通過孔１６３にボルトを挿入して台座５に設けた第３のねじ孔５ｃに締着する。このようにした後、上記ダクト空間Ｓを閉止する形状に設けたダクトカバー９を、その側端に突設した軸部９１をベース部７の凹所７２ｆに上方から係合させて上向き面７２ｅ上に載せ置き、両側からキャップ本体８１を、補助キャップ８２，８３を付帯させ補助キャップ８１を取り除いた状態で支柱６１を挟みつつベース部７に取り付けるとともに、図１０に矢印で示すように上方からパネル本体１６０を落としこんで図示しない取付孔を支柱１６１に挿入することによって、支柱１６１の基端を目隠しした状態でベース部７をキャップ部８によって蓋封し、第３の開口窓８２ｚ同士が連通した更に大きな開口窓に支柱１６１を密接に貫通させると同時にダクトカバー９を取り付けた状態を実現することができる。
【００３０】
なお、第１の開口窓８１ｘは、上記支柱６１，１６１よりも断面の大きい支柱に対して適用されるものであり、本明細書ではこのような態様の説明は省略している。
【００３１】
以上のように、カバー体Ｃは、台座５に取り付けられる机上オプションであるデスクトップパネル６，１０６の支柱６１，１６１の形状に応じて形態を変化させることができるほか、デスクトップパネル６，１０６等の机上オプションを取り付けない場合はキャップ本体８１に全ての補助キャップ８２，８３，８４を装着して完全にキャップ部８でベース部７を閉止した状態をとり得るものである。
【００３２】
このように、本実施形態のデスクは、天板４を支持するフレーム構造体Ａの一部を台座５とし、この台座５に設定した取付領域Ｂ１、Ｂ２に上方から机上オプションであるデスクトップパネル６，１０６の基端を取り付け可能とするとともに、台座５を、デスクトップパネル６，１０６などの机上オプションの種類やその有無に応じて形態を変化させ得るカバー体Ｃによって覆うようにしたものである。
【００３３】
そして、カバー体Ｃを、少なくとも机上オプションであるデスクトップパネル６，１０６の取付領域Ｂ１、Ｂ２を避けた位置で台座５に固定し、その取付領域Ｂ１，Ｂ２を途中狭めることなく上方に開放した状態をとり得るように構成している。
【００３４】
このため、カバー体Ｃの少なくとも一部を台座５に固定状態で残したままで、カバー体Ｃと干渉させることなく机上オプションであるデスクトップパネル６，１０６の基端を上下方向に通過させて台座５に対して着脱することができ、デスクトップパネル６，１０６の着脱の度にカバー体Ｃの全体を付けたり外したりする場合に比して、作業性を有効に向上させることができる。
【００３５】
また、カバー体Ｃを、台座５に止着具であるボルトｖ１を介して固定されるベース部７と、台座５から上方へ離間した位置において前記ベース部７に着脱可能に取り付けられて前記止着具であるボルトｖ１を遮蔽するキャップ部８とを具備してなるものにし、ベース部７は取付領域Ｂ１，Ｂ２を上方に開放し、キャップ部Ｃが取り付けられることによって支柱６，１０６とともに取付領域Ｂ１，Ｂ２のほぼ全部が閉止され得るように構成している。
【００３６】
このように、ベース部７に対してキャップ部８を着脱するようにすれば、デスクトップパネル６，１０６等の机上オプションの有無に応じてカバー体Ｃの形態を有効に変化させることができる。しかも、カバー体Ｃを台座５に的確に固定する機能と、デスクトップパネル６，１０６等の机上オプションの有無に応じて容易に形態を変化させ得る機能とを、それぞれベース部７及びキャップ部８に分担させたので、的確な固定状態と容易な形態変更という相容れない課題を有効に解決することができ、共通のベース部７上に異なる構造のキャップ部８を取り付けることで仕様の多様化も図れ、樹脂成形等をする場合にも最小限の部品の成形のみにて容易に対応することができる。
【００３７】
さらに、机上オプションであるデスクトップパネル６，１０６は、支柱６１，１６１の基端に拡開した取付部たるブラケット６２、１６２を有するものであり、ベース部７に、そのブラケット６２，１６２の通過を許容する凹部Ｐを上方に向かって開放した状態で形成するとともに、キャップ部８にブラケット６２，１６２よりも小さく支柱６１、１６１よりも大きい開口窓８２ｙ、８２ｚを開閉可能に設けている。窓８１ｘにおいても同様である。
【００３８】
このため、ベース部７の凹部Ｐの内壁に沿って支柱６１，１６１がブラケット６２、１６２を介して案内され、凹部Ｐは支柱６１，１６１の基端部を着脱する際のガイドとして有効利用することができ、キャップ部８には支柱６１，１６１の取付部を的確に閉止する形態を有効に付与することができる。
【００３９】
さらに、キャップ部８は、形態の異なる複数の開口窓８１ｘ、８２ｙ、８２ｚを形成し得るように構成されているので、様々の机上オプションに対して共通のカバー体Ｃを有効に適用することができる。
【００４０】
また、このデスクは、フレーム構造体Ａ上、天板幅方向へ離間した位置に存する台座５，５に一対のカバー体Ｃを固定し、これらカバー体Ｃ，Ｃの間にダクトカバー９を取り付けるようにしたものであり、ダクトカバー９は両端に突起である軸部９１を有し、カバー体Ｃにはこの軸部９１を支持する凹所７２ｆ、８２ｆが設けられて、凹所７２ｆ、８２ｆはベース部７に対するキャップ部８の着脱を通じて開閉可能とされているので、ベース部７に対するキャップ部８の着脱に伴ってダクトカバー９の着脱も同時に行うことができ、ダクトカバー９の保持もカバー体Ｃによって有効に行うことができる。
【００４１】
また、突起９１が軸であり、凹所７２ｆ、８２ｆが突き合って軸受を構成するものであるので、ダクトカバー９の着脱容易性とともにその良好な使い勝手も同時に実現することができる。
【００４２】
具体的にこのデスクは、フレーム構造体Ａが端部脚１の間に中間脚２を有し、端部脚１と中間脚２の間、あるいは中間脚２，２同士の間をビーム３を介して連結したものであって、台座５がビーム３の両端近傍の上向面に設けられ、中間脚２を挟んで隣接する台座５，５は図２〜図６に示すように各々別個の机上オプションであるデスクトップパネル６の基端を取り付けるための第１の取付領域Ｂ１、及び、図７〜図１０に示すように隣接する台座５，５とともに共通の机上オプションであるデスクトップパネル１０６の基端を取り付けるための第２の取付領域Ｂ２を設定されたものであり、各々の台座５，５を覆うカバー体Ｃは、個別に第１の取付領域Ｂ１を途中狭めることなく上方に開放した状態と、協働して第２の取付領域Ｂ２を途中狭めることなく上方に開放した状態とをとり得るように構成されているので、共通の台座５、共通のカバー体Ｃを用いて、机上オプションであるデスクトップパネル６，１０６の何れの支柱６１，１６１にも有効に対応することができる。
【００４３】
この場合、一対のカバー体Ｃ，Ｃは、台座５に止着具たるボルトｖ１を介して固定されるベース部７と、このベース部７に着脱可能に取り付けられて前記ボルトｖ１を遮蔽するキャップ部８とをそれぞれ具備し、各ベース部７は、第１の取付領域Ｂ１を上方に開放し、キャップ部８が取り付けられることによって支柱６とともに第１の取付領域Ｂ１のほぼ全部が閉止され得るように構成されるとともに、両ベース部７，７は、協働して第２の取付領域Ｂ２を上方に開放し、各々キャップ部８，８が取り付けられることによって支柱１０６とともに第２の取付領域Ｂ１のほぼ全部が閉止され得るように構成されているので、カバー体Ｃのベース部７を固定したままで机上オプションであるデスクトップパネル６、１０６の基端を着脱するという効果を、机上オプションであるデスクトップパネル６，１０６の何れの支柱６１，１６１に対しても有効に得ることができる。
【００４４】
以上、本発明の一実施形態について説明したが、各部の具体的な形状や構造は図示例に限定されるものではなく、本発明の趣旨を逸脱しない範囲で種々変形が可能である。
【００４５】
また、机上オプションとしては、棚など他の種々のものを対象とすることができ、取付領域の開放方向は上方以外に設定しても構わない。
【図面の簡単な説明】
【００４６】
【図１】本発明の一実施形態に係るデスクの天板を透視した全体斜視図。
【図２】同実施形態における端部脚側の台座上に設定した第１の取付領域を周辺構造とともに示す分解斜視図。
【図３】同実施形態における中間脚側の台座上に設定した第１の取付領域を周辺構造とともに示す分解斜視図。
【図４】同実施形態におけるデスクトップパネルの取付手順をカバー体とともに示す斜視図。
【図５】同実施形態におけるデスクトップパネルの取付手順をカバー体とともに示す斜視図。
【図６】同実施形態におけるデスクトップパネルの取付状態をカバー体とともに示す斜視図。
【図７】実施形態における中間脚側の台座上に設定した第１の取付領域を周辺構造とともに示す分解斜視図。
【図８】同実施形態における他のデスクトップパネルの取付手順をカバー体とともに示す斜視図。
【図９】同実施形態における他のデスクトップパネルの取付手順をカバー体とともに示す斜視図。
【図１０】同実施形態におけるデスクトップパネルの取付状態をカバー体とともに示す斜視図。
【符号の説明】
【００４７】
１…端部脚
２…中間脚
３…ビーム
４…天板
５…台座
６，１０６…机上オプション（デスクトップパネル）
７…ベース部
８…キャップ部
９…ダクトカバー
６１、１６１…支柱
６２、１６２…取付部（ブラケット）
８１ｘ…第１の開口窓
８２ｙ…第２の開口窓
８２ｚ…第３の開口窓
９１…突起
７２ｆ、８２ｆ…凹所
Ａ…フレーム構造体
Ｂ１…第１の取付領域
Ｂ２…第２の取付領域
Ｃ…カバー体
Ｐ…凹部
ｖ１…止着具（ボルト）
【図１】
0005246644.tif 000002
【図２】
0005246644.tif 000003
【図３】
0005246644.tif 000004
【図４】
0005246644.tif 000005
【図５】
0005246644.tif 000006
【図６】
0005246644.tif 000007
【図７】
0005246644.tif 000008
【図８】
0005246644.tif 000009
【図９】
0005246644.tif 000010
【図１０】
0005246644.tif 000011